【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
アナログビデオ情報を、グループ分けされた画素の量子化ブロックに仕切られたフレームにデジタル近似するためのシステムにおいて、各画素は単一の量子化ブロックに属し、前記画素の量子化ブロックをグループに配置および形成するための最適化方法は、統計的な境界誤差がチェビシェフのオルタナンス定理に従って均一にされるための配置の決定を含み、これにより（ａ）前記量子化ブロックは全て同一の形状を有し、（ｂ）各量子化ブロックは接触する量子化ブロックと同じ環境を有し、（ｃ）前記各量子化ブロックは最低限の数の接触する量子化ブロックを有し、（ｄ）前記量子化ブロックの１つの中心から隣接する量子化ブロックの中心まで、測定される距離の偏差が最小限であり、（ｅ）前記量子化ブロックの１つと接触する量子化ブロックとの間の、測定される共通する境界の長さの偏差が最小限である、最適化方法。
【請求項２】
当初は矩形の形状を有する量子化ブロックにチェビシェフのオルタナンス定理を適用することによって、前記量子化ブロックがれんが壁型配置に配置され、これにより前記量子化ブロックは各々、６つの接触する量子化ブロックしか持たない、請求項１に記載の最適化方法。
【請求項３】
チェビシェフのオルタナンス定理を適用することによって六角形状を有し蜂の巣型セル配置に配置される量子化ブロックを作成し、それによって前記量子化ブロックは各々、６つの接触する量子化ブロックしか持たない、請求項１に記載の最適化方法。
【請求項４】
アナログビデオ情報を、グループ分けされた画素の量子化ブロックに仕切られたフレームにデジタル近似するためのシステムにおいて、各画素は単一の量子化ブロックに属し、同等な矩形の量子化ブロックをれんが壁型配置へ組織することによって、各々、６つの接触する量子化ブロックを有する前記矩形の量子化ブロック。
【請求項５】
アナログビデオ情報を、グループ分けされた画素の量子化ブロックに仕切られたフレームにデジタル近似するためのシステムにおいて、各画素は単一の量子化ブロックに属し、同等な六角形状の量子化ブロックを蜂の巣型セル配置へ組織することによって、各々、６つの接触する量子化ブロックを有する前記六角形の量子化ブロック。
【請求項６】
アナログビデオ情報を、グループ分けされた画素の重なり合う量子化ブロックに仕切られたフレームにデジタル近似するためのシステムにおいて、少なくとも１つの画素は複数の量子化ブロックに属し、前記画素の重なり合う量子化ブロックをグループに配置および形成するための最適化方法は、統計的な境界誤差がチェビシェフのオルタナンス定理に従って等価されるための配置の決定を含み、これにより（ａ）前記重なり合う量子化ブロックは同一の形状を有し、（ｂ）各重なり合う量子化ブロックは接触する重なり合う量子化ブロックと同じ環境を有し、（ｃ）前記各重なり合う量子化ブロックは最低限の数の前記接触する重なり合う量子化ブロックを有し、（ｄ）前記重なり合う量子化ブロックの１つの中心から隣接する重なり合う量子化ブロックの中心まで、測定される距離の偏差が最小限であり、（ｅ）前記重なり合う量子化ブロックの１つと接触する重なり合う量子化ブロックとの間の、測定される共通する境界の長さの偏差が最小限である、最適化方法。
【請求項７】
前記重なり合う量子化ブロックは円形で蜂の巣型セルと類似の配置で重なり合い、前記円形は前記蜂の巣型セルを包囲し、前記重なり合う円形の量子化ブロックは各々、６つの隣接する重なり合う円形の量子化ブロックのみを有し共通の画素を含む、請求項６に記載の最適化方法。
【請求項８】
前記円形の形状は前記蜂の巣型セルを包囲する多角形の円形の近似を含む、請求項７に記載の最適化方法。
【請求項９】
アナログビデオ情報を、グループ分けされた画素のブロックに仕切られたフレームにデジタル近似するためのシステムにおける、同等の円形形状の重なり合う量子化ブロックの蜂の巣型セル配置において、前記円形形状は前記蜂の巣型セルを包囲し、各々、６つの隣接する重なり合う円形形状の量子化ブロックのみを有し共通の画素を含む前記重なり合う円形形状の量子化ブロック。
【請求項１０】
前記円形形状は前記蜂の巣型セルを包囲する多角形によって近似される、請求項９に記載の蜂の巣型セル配置。
【請求項１１】
アナログビデオ情報を、グループ分けされた画素の量子化ブロックに仕切られたフレームにデジタル近似するためのシステムにおいて、少なくとも２つの前記ビデオ情報フレームが前記量子化ブロックの前記配置によって異なるように配置される前記量子化ブロックの組織。
【請求項１２】
ビデオ情報フレームが、水平なそれぞれ奇数と偶数の量子化ブロック行がシフトしているれんが壁型配置と同等な矩形の量子化ブロックの前記組織を有し、かつ  少なくとも前記２つの配置が、対応する少なくとも２つの前記フレームに関連づけられて、前記量子化ブロック行のそれぞれの水平シフト分だけ異なっている請求項１１に記載の量子化ブロックの組織。
【請求項１３】
ビデオ情報フレームが、垂直なそれぞれ奇数と偶数の量子化ブロック列がシフトしているれんが壁型配置と同等な矩形の量子化ブロックの前記組織を有し、かつ  少なくとも前記２つの配置が、対応する少なくとも２つの前記フレームに関連付けられて、前記量子化ブロック列のそれぞれの垂直シフト分だけ異なっている請求項１１に記載の量子化ブロックの組織。
【請求項１４】
ビデオ情報フレームが、れんが壁型配置と同等な矩形の量子化ブロックの前記組織を有し、かつ少なくとも１つのフレームが量子化ブロック行のそれぞれの水平シフトを備えた前記れんが壁型配置を有し、かつ少なくとも１つのフレームが量子化ブロック列のそれぞれの垂直シフトを備えた前記れんが壁配置を有する請求項１１に記載の量子化ブロックの組織。
【請求項１５】
ビデオ情報フレームが蜂の巣型セル配置と同等に形成された量子化ブロックの前記組織を有し、  前記蜂の巣セルが水平方向に向けられた頂点を有し、奇数と偶数の量子化ブロック列を形成し、それぞれが垂直方向にシフトしており、  少なくとも２つの前記配置が、少なくとも２つの対応する前記フレームに関連づけられ、前記形成された量子化ブロックの前記奇数および偶数列の垂直シフト分だけ異なっている請求項１１に記載の量子化ブロックの組織。
【請求項１６】
ビデオ情報フレームが蜂の巣型セル配置と同等に形成された量子化ブロックの前記組織を有し、  前記蜂の巣セルが垂直方向に向けられた頂点を有し、奇数と偶数の量子化ブロック行を形成し、それぞれが水平方向にシフトしており、  少なくとも２つの前記配置が、少なくとも2つの対応する前記フレームに関連づけられ、前記形成された量子化ブロックの前記奇数および偶数列の水平シフト分だけ異なっている請求項１１に記載の量子化ブロックの組織。
【請求項１７】
ビデオ情報フレームが蜂の巣型セル配置と同等に形成された量子化ブロックの前記組織を有し、  少なくとも１つの前記蜂の巣型セル配置が、少なくとも１つのフレームに関連づけられ、水平方向を向いた頂点を有する蜂の巣型セルを含み、それによって奇数および偶数に形成された量子化ブロック列を形成し、それぞれが垂直にシフトしており、かつ  少なくとも１つの前記蜂の巣型セル配置が、少なくとも１つのフレームに関連づけられ、垂直方向を向いた頂点を有する蜂の巣型セルを含み、それによって奇数および偶数に形成された量子化ブロック行を形成し、それぞれが水平にシフトしている請求項１１に記載の量子化ブロックの組織。